(57)【要約】【課題】データ送信装置１と情報端末装置４間の経路の帯域利用状況によっては、マルチキャストデータの配信に必要な最低限の帯域を確保することができず、途中の経路でデータロスが発生することがある課題があった。【解決手段】情報端末装置１５から送信されたログインデータとパスワードを照合して、その情報端末装置１５のアクセスを許可するか否かを判定し、その情報端末装置１５のアクセスを許可する場合には、配信装置１８〜２０の中から、そのログインデータに含まれている設定要求帯域でマルチキャストデータを配信することが可能な配信装置を検索する。【選択図】　　　　図１
2004110395.tif 000002
【特許請求の範囲】
【請求項１】
情報端末装置から送信されたログインデータとパスワードを照合して、その情報端末装置のアクセスを許可するか否かを判定する判定手段と、上記判定手段が情報端末装置のアクセスを許可する場合、マルチキャストデータを配信することが可能な複数の配信装置の中から、そのログインデータに含まれている設定要求帯域でマルチキャストデータを配信することが可能な配信装置を検索する検索手段と、上記検索手段により検索された配信装置と上記情報端末装置間の通信確立を負荷分散装置に対して要求する制御手段とを備えた認証処理装置。
【請求項２】
判定手段は、ログインデータにユーザ名とマルチキャストデータの配信者に関する情報が含まれている場合、情報端末装置のユーザが当該配信者からマルチキャストデータの受信を許可されているか否かを調査し、当該配信者からマルチキャストデータの受信を許可されていないときは、上記情報端末装置のアクセスを拒否することを特徴とする請求項１記載の認証処理装置。
【請求項３】
検索手段により検索された配信装置と情報端末装置間の通信記録を管理する通信記録管理手段を設けたことを特徴とする請求項１または請求項２記載の認証処理装置。
【請求項４】
通信記録管理手段に管理されている通信記録を参照して、情報端末装置のアクセス料を課金する課金手段を設けたことを特徴とする請求項３記載の認証処理装置。
【請求項５】
課金手段は、配信装置と情報端末装置間に設定された帯域の大きさと通信時間に応じてアクセス料を課金することを特徴とする請求項４記載の認証処理装置。
【請求項６】
検索手段は、ログインデータに設定要求帯域が含まれていない場合、ベストエフォート用の通信ポートを有する配信装置を検索し、その配信装置に対してベストエフォート方式によるマルチキャストデータの配信を指示することを特徴とする請求項１から請求項５のうちのいずれか１項記載の認証処理装置。
【発明の詳細な説明】
【０００１】
【発明の属する技術分野】
この発明は、マルチキャストデータの配信を制御する認証処理装置に関するものである。
【０００２】
【従来の技術】
図６は従来のデータ通信制御システムを示す構成図であり、図において、１はマルチキャストデータを配信するデータ送信装置、２は例えばインターネットやイーサネット（登録商標）などのアクセスネットワーク、３はマルチキャストデータの配信を仲介するプロバイダ（以下、ＩＳＰという）、４はデータ送信装置１からマルチキャストデータを受信するパソコンなどの情報端末装置である。
【０００３】
次に動作について説明する。
情報端末装置４のユーザがマルチキャストデータの配信を希望する場合、情報端末装置４を操作してマルチキャストデータの配信要求をデータ送信装置１に送信する。
データ送信装置１は、マルチキャストデータの配信要求を受けると、ＩＳＰ３経由でマルチキャストデータを情報端末装置４に配信する。図６の例では、１つの情報端末装置４のみにマルチキャストデータを配信しているが、通常、複数の情報端末装置４にマルチキャストデータを同報配信する。
【０００４】
なお、データ送信装置１は、マルチキャストデータを配信する際、ベストエフォート方式を採用するが、ベストエフォート方式によるマルチキャストデータの配信の場合、データ送信装置１と情報端末装置４間の経路の帯域利用状況によっては、最低限必要な帯域を確保できるとは限らず、途中の経路でデータロスが発生することがある。
【０００５】
なお、図６は特許文献等に記載されているものではないため出所は記載しないが、ネットワーク通信の一般的な形態を示している。
【０００６】
【発明が解決しようとする課題】
従来のデータ通信制御システムは以上のように構成されているので、データ送信装置１と情報端末装置４間の経路の帯域利用状況によっては、マルチキャストデータの配信に必要な最低限の帯域を確保することができず、途中の経路でデータロスが発生することがある課題があった。
【０００７】
この発明は上記のような課題を解決するためになされたもので、マルチキャストデータの配信に必要な帯域を確保することが可能な配信装置を検索することができる認証処理装置を得ることを目的とする。
【０００８】
【課題を解決するための手段】
この発明に係る認証処理装置は、判定手段が情報端末装置のアクセスを許可する場合、マルチキャストデータを配信することが可能な複数の配信装置の中から、ログインデータに含まれている設定要求帯域でマルチキャストデータを配信することが可能な配信装置を検索する検索手段を設け、その検索手段により検索された配信装置と情報端末装置間の通信確立を負荷分散装置に対して要求するようにしたものである。
【０００９】
この発明に係る認証処理装置は、ログインデータにユーザ名とマルチキャストデータの配信者に関する情報が含まれている場合、情報端末装置のユーザが当該配信者からマルチキャストデータの受信を許可されているか否かを調査し、当該配信者からマルチキャストデータの受信を許可されていないときは、情報端末装置のアクセスを拒否するようにしたものである。
【００１０】
この発明に係る認証処理装置は、検索手段により検索された配信装置と情報端末装置間の通信記録を管理する通信記録管理手段を設けたものである。
【００１１】
この発明に係る認証処理装置は、通信記録管理手段に管理されている通信記録を参照して、情報端末装置のアクセス料を課金する課金手段を設けたものである。
【００１２】
この発明に係る認証処理装置は、配信装置と情報端末装置間に設定された帯域の大きさと通信時間に応じてアクセス料を課金するようにしたものである。
【００１３】
この発明に係る認証処理装置は、ログインデータに設定要求帯域が含まれていない場合、ベストエフォート用の通信ポートを有する配信装置を検索し、その配信装置に対してベストエフォート方式によるマルチキャストデータの配信を指示するようにしたものである。
【００１４】
【発明の実施の形態】
以下、この発明の実施の一形態を説明する。
実施の形態１．
図１はこの発明の実施の形態１による認証処理装置が適用されるデータ通信制御システムを示す構成図であり、図において、１０はデータ通信制御システム、１１〜１３は予め登録された配信者のマルチキャストデータを送信するデータ送信装置、１４はデータ送信装置１１〜１３等が接続されているマルチキャストネットワーク、１５は所望の配信者のマルチキャストデータを受信するパソコンなどの情報端末装置、１６は例えばインターネットやイーサネット（登録商標）などのアクセスネットワーク、１７は情報端末装置１５からデータ通信制御システム１０のホスト名を受けると、そのホスト名をキーにしてデータ通信制御システム１０のＩＰアドレスを検索し、そのデータ通信制御システム１０の負荷分散装置２２又は２３と情報端末装置１５との接続を媒介するドメインネームシステム（以下、ＤＮＳという）である。
【００１５】
１８〜２０はデータ送信装置１１〜１３からマルチキャストデータを受信し、認証処理装置２１の指示の下、そのマルチキャストデータを配信する配信装置、２１は情報端末装置１５から送信されたログインデータ（ユーザ名、設定要求帯域、配信者）とパスワードを照合して、その情報端末装置１５のアクセスを許可するか否かを判定し、その情報端末装置１５のアクセスを許可する場合には、配信装置１８〜２０の中から、そのログインデータに含まれている設定要求帯域でマルチキャストデータを配信することが可能な配信装置を検索する認証処理装置、２２，２３は認証処理装置２１により検索された配信装置と情報端末装置１５間の通信を確立する負荷分散装置、２４は配信装置１８〜２０の通信ポートのうち、優先順位の高い通信ポートから出力されるマルチキャストデータを優先的に転送するパケット転送順序制御集線装置である。
【００１６】
図２はこの発明の実施の形態１による認証処理装置２１の内部構成を示す構成図であり、図において、３１は負荷分散装置２２又は２３からログインデータとパスワードを受けると、ユーザ認証部３２，配信者アクセス確認部３３及び配信帯域管理部３４を起動し、負荷分散装置２２，２３及び配信装置１８〜２０に対する制御信号を出力する認証制御部（制御手段）、３２はログインデータに含まれているユーザ名をキーにして、ユーザ名パスワードデータベース３５から当該ユーザ名に対応するパスワードを取得し、そのパスワードと負荷分散装置２２又は２３から受けたパスワードを照合するユーザ認証部（判定手段）である。
【００１７】
３３はログインデータに含まれているユーザ名をキーにして、ユーザ名配信者データベース３６から当該ユーザ名に対応する配信者のリスト（情報端末装置１５のユーザに対してマルチキャストデータの受信を許可している配信者のリスト）を取得し、ログインデータに含まれている配信者が当該リストの中に含まれているか否かを確認する配信者アクセス確認部（判定手段）、３４は配信装置１８〜２０の上限帯域と配信装置１８〜２０に現在割り当てられている帯域を参照して、ログインデータに含まれている設定要求帯域でマルチキャストデータを配信することが可能な配信装置を検索する配信帯域管理部（検索手段）である。
【００１８】
３５は予め登録されたユーザのユーザ名とパスワードを格納するユーザ名パスワードデータベース、３６は予め登録されたユーザが受信可能な配信者のリストを格納するユーザ名配信者データベース、３７は配信装置１８〜２０の上限帯域を格納する上限帯域データベース、３８は配信装置１８〜２０に現在割り当てられている帯域を格納する割当帯域データベース、３９は配信装置１８〜２０のパラメータ（フィルタパラメータ、速度制限パラメータ）を格納する配信装置パラメータデータベースである。
【００１９】
図３は配信装置１８〜２０の内部構成を示す構成図であり、図において、４１はデータ送信装置１１〜１３から連続的に送信されるマルチキャストデータを常時受信し、そのマルチキャストデータをパケット転送制御部４３に出力するデータ受信部、４２は認証処理装置２１からパラメータを受信し、そのパラメータをパケット転送制御部４３に出力するパラメータ受信部、４３はパラメータ受信部４２から出力されたパラメータにしたがってマルチキャストデータの送信速度等を設定して、そのマルチキャストデータを転送するパケット転送制御部、４４は負荷分散装置２２又は２３からログインデータとパスワードを受信する一方、パケット転送制御部４３により転送されたマルチキャストデータを負荷分散装置２２又は２３に出力するデータ入出力部である。
【００２０】
図４は負荷分散装置２２，２３の内部構成を示す構成図であり、図において、５１は情報端末装置１５からログインデータとパスワードを受信する一方、接続制御部５３により転送されたマルチキャストデータを情報端末装置１５に送信するデータ入出力部、５２はデータ入出力部５１により受信されたログインデータとパスワードを認証処理装置２１に送信する一方、認証処理装置２１から制御信号を受信する情報送受信部、５３は情報送受信部５２により受信された制御信号を参照して接続対象の配信装置を確認し、その配信装置とデータ入出力部５４を接続する接続制御部、５４は配信装置１８等からマルチキャストデータを受信して接続制御部５３に出力するデータ入出力部である。
【００２１】
次に動作について説明する。
情報端末装置１５のユーザがマルチキャストデータの配信を希望する場合、情報端末装置１５を操作して、データ通信制御システム１０のホスト名をＤＮＳ１７に送信する。
ＤＮＳ１７は、情報端末装置１５からデータ通信制御システム１０のホスト名を受けると、そのホスト名をキーにしてデータ通信制御システム１０のＩＰアドレスを検索し、そのデータ通信制御システム１０の負荷分散装置２２又は２３と情報端末装置１５との接続を媒介する。この例では説明の便宜上、負荷分散装置２２と情報端末装置１５が接続されるものとし、負荷分散装置２２と情報端末装置１５は１対１の対向通信であるＰＰＰ（ｐｏｉｎｔ−ｔｏ−ｐｏｉｎｔ）接続となる。
【００２２】
なお、アクセスネットワーク１６がインターネットであればＬ２ＴＰ接続となり、イーサネット（登録商標）であればＰＰＰｏＥ接続となり、ＡＴＭであればＰＰＰｏＡ接続となる。
その後、情報端末装置１５のユーザがログインデータ（ユーザ名、設定要求帯域、配信者）とパスワードを入力すると、そのログインデータとパスワードがデータ通信制御システム１０の負荷分散装置２２に送信される。
【００２３】
データ通信制御システム１０の負荷分散装置２２は、情報端末装置１５からログインデータとパスワードを受信すると、そのログインデータとパスワードを認証処理装置２１に送信する。
即ち、負荷分散装置２２のデータ入出力部５１が情報端末装置１５からログインデータとパスワードを受信すると、情報送受信部５２がログインデータとパスワードを認証処理装置２１に送信する。
【００２４】
認証処理装置２１は、負荷分散装置２２からログインデータとパスワードを受けると、そのログインデータとパスワードを照合して、情報端末装置１５のアクセスを許可するか否かを判定する。
即ち、認証処理装置２１の認証制御部３１は、負荷分散装置２２からログインデータとパスワードを受けると、ユーザ認証部３２，配信者アクセス確認部３３及び配信帯域管理部３４を起動する。
【００２５】
認証処理装置２１のユーザ認証部３２は、ログインデータに含まれているユーザ名をキーにして、ユーザ名パスワードデータベース３５から当該ユーザ名に対応するパスワードを取得する。
そして、そのパスワードと負荷分散装置２２から受けたパスワードを照合し、その照合結果を認証制御部３１に返信する。
【００２６】
認証処理装置２１の配信者アクセス確認部３３は、ログインデータに含まれているユーザ名をキーにして、ユーザ名配信者データベース３６から当該ユーザ名に対応する配信者のリストを取得する。ここで、配信者のリストとは、当該ユーザに対してマルチキャストデータの受信を許可している配信者のリストのことである。
そして、ログインデータに含まれている配信者が当該リストの中に含まれているか否かを確認し、その確認結果を認証制御部３１に返信する。
【００２７】
認証処理装置２１の配信帯域管理部３４は、上限帯域データベース３７及び帯域割当データベース３８から配信装置１８〜２０の上限帯域と配信装置１８〜２０に現在割り当てられている帯域をリードし、その上限帯域と現在割り当てられている帯域を参照して、ログインデータに含まれている設定要求帯域でマルチキャストデータを配信することが可能な配信装置を検索する。なお、配信帯域管理部３４は必要に応じて配信装置１８〜２０の上限帯域の他に、配信装置全体、負荷分散装置２２，２３及びアクセスネットワーク１６の上限帯域を参照する。
そして、配信帯域管理部３４は、配信装置の検索結果を認証制御部３１に返信する。
なお、配信帯域管理部３４は、ログインデータに含まれている設定要求帯域でマルチキャストデータを配信することが可能な配信装置が有る場合、帯域割当データベース３８に格納されている当該配信装置の帯域を当該設定要求帯域に更新する。ただし、帯域の更新タイミングは、実際に通信が確立された後であってもよい。
【００２８】
認証処理装置２１の認証制御部３１は、ユーザ認証部３２の照合結果がパスワードの不一致を示す場合、あるいは、配信者アクセス確認部３３の確認結果がリスト中に含まれていない旨を示す場合、あるいは、配信帯域管理部３４の検索結果が配信可能な配信装置が無い旨を示す場合、アクセス拒否を示すアクセス拒否信号を負荷分散装置２２に出力する。
これにより、負荷分散装置２２は、そのアクセス拒否信号を情報端末装置１５に送信して、情報端末装置１５との接続を解除する。
【００２９】
認証処理装置２１の認証制御部３１は、ユーザ認証部３２の照合結果がパスワードの一致を示し、配信者アクセス確認部３３の確認結果がリスト中に含まれている旨を示し、かつ、配信帯域管理部３４の検索結果が配信可能な配信装置が有る旨を示す場合、配信可能な配信装置のＩＤ番号と当該配信装置の通信ポートの番号とを含む制御信号を負荷分散装置２２に出力する（実際には、配信装置のＩＤ番号と通信ポートを特定するＩＰアドレスを含む制御信号を出力する）。この例では説明の便宜上、配信可能な配信装置が配信装置１８であるものとする。
また、認証処理装置２１の認証制御部３１は、配信装置パラメータデータベース３９からログインデータに含まれている設定要求帯域を満足する速度制限パラメータを取得するとともに、ログインデータに含まれている配信者を特定するフィルタパラメータを取得し、その速度制限パラメータとフィルタパラメータを配信装置１８に出力する。
【００３０】
負荷分散装置２２は、認証処理装置２１から配信装置１８のＩＤ番号と通信ポート番号を含む制御信号を受けると、そのＩＤ番号と通信ポート番号を参照して、その配信装置１８の通信ポートを情報端末装置１５と接続する。
即ち、負荷分散装置２２の接続制御部５３は、情報送受信部５２が配信装置１８のＩＤ番号と通信ポート番号を含む制御信号を受信すると、そのＩＤ番号と通信ポート番号を参照して、その配信装置１８の通信ポートをデータ入出力部５４と接続することにより、その配信装置１８と情報端末装置１５間の通信を確立する。
【００３１】
配信装置１８のパケット転送制御部４３は、パラメータ受信部４２が認証処理装置２１から速度制限パラメータとフィルタパラメータを受信すると、その速度制限パラメータにしたがってマルチキャストデータの送信速度を設定する。
また、パケット転送制御部４３は、データ受信部４１により受信されたデータ送信装置１１〜１３のマルチキャストデータのうち、そのフィルタパラメータが示す配信者のマルチキャストデータのみをデータ入出力部４４に転送する状態に設定する。
なお、ここでは特に言及していないが、パケット転送制御部４３は、負荷分散装置２２からログインデータとパスワードを受信すると、認証処理装置２１と同様にパスワードの照合処理を実施し、パスワードの一致が認められる場合に限り、上記の設定処理を実施するようにしてもよい。
【００３２】
これにより、配信装置１８のデータ受信部４１が、例えば、配信者Ａ〜Ｇのマルチキャストデータを受信しているとき、フィルタパラメータが配信者Ｆを特定する場合、パケット転送制御部４３が配信者Ｆのマルチキャストデータのみをデータ入出力部４４に転送する。
この際、配信装置１８は、速度制限パラメータが例えば１６Ｍを示す場合、１６Ｍの送信速度で、配信者Ｆのマルチキャストデータを負荷分散装置２２に出力する。
負荷分散装置２２のデータ入出力部５１は、データ入出力部５４が配信装置１８から配信者Ｆのマルチキャストデータを受信すると、１６Ｍの送信速度で、配信者Ｆのマルチキャストデータを情報端末装置１５に配信する。
【００３３】
以上で明らかなように、この実施の形態１によれば、情報端末装置１５から送信されたログインデータとパスワードを照合して、その情報端末装置１５のアクセスを許可するか否かを判定し、その情報端末装置１５のアクセスを許可する場合には、配信装置１８〜２０の中から、そのログインデータに含まれている設定要求帯域でマルチキャストデータを配信することが可能な配信装置を検索するように構成したので、データロスの発生を招くことなく、マルチキャストデータを確実に配信することができる効果を奏する。
【００３４】
実施の形態２．
図５はこの発明の実施の形態２による認証処理装置２１の内部構成を示す構成図であり、図において、図２と同一符号は同一または相当部分を示すので説明を省略する。
６１は配信装置１８〜２０と情報端末装置１５間の通信記録を管理して、その情報端末装置１５のアクセス料を課金する課金制御部（通信記録管理手段、課金手段）、６２は現在時刻を出力する時刻管理部（通信記録管理手段）、６３は配信装置１８〜２０と情報端末装置１５間の通信記録とアクセス料を課金記録データベース６４に記録するアクセス記録部（通信記録管理手段）、６４は配信装置１８〜２０と情報端末装置１５間の通信記録とアクセス料を格納する課金記録データベース（通信記録管理手段）である。
【００３５】
次に動作について説明する。
配信装置１８〜２０と情報端末装置１５間のデータ通信は、上記実施の形態１と同様に実施されるが、この実施の形態２では、認証処理装置２１が配信装置１８〜２０と情報端末装置１５間の通信記録を管理して、その情報端末装置１５のアクセス料を課金するようにしている。
【００３６】
即ち、認証処理装置２１の課金制御部６１は、配信装置１８〜２０と情報端末装置１５間の通信状態を監視して、その通信状態を示す通常状態情報を出力し、アクセス記録部６３は、その通常状態情報と時刻管理部６２から出力される現在時刻を参照して、配信装置１８〜２０と情報端末装置１５間の通信記録を課金記録データベース６４に格納する。
なお、課金記録データベース６４に格納される通信記録には、配信装置１８〜２０と情報端末装置１５間に設定された帯域の大きさと通信時間が含まれ、また、どのユーザがどの配信者のマルチキャストデータを受信したかなどの記録が含まれる。
【００３７】
認証処理装置２１の課金制御部６１は、課金記録データベース６４に格納されている通信記録を参照して、情報端末装置１５のアクセス料を課金する。
即ち、配信装置１８〜２０と情報端末装置１５間に設定された帯域の大きさと通信時間に応じてアクセス料を決定する。
そして、例えば、情報端末装置１５のユーザが契約しているクレジット会社に対して、そのアクセス料を示す課金情報を送信して、そのユーザに課金を行う。
【００３８】
以上で明らかなように、この実施の形態２によれば、配信装置１８〜２０と情報端末装置１５間の通信記録を管理して、その情報端末装置１５のアクセス料を課金するように構成したので、適正な料金徴収を実施することができる効果を奏する。
【００３９】
実施の形態３．
上記実施の形態１，２では、配信帯域管理部３４がログインデータに含まれている設定要求帯域でマルチキャストデータを配信することが可能な配信装置を検索するものについて示したが、ログインデータに設定要求帯域が含まれていない場合、認証制御部３１がベストエフォート用の通信ポートを有する配信装置を検索し、その配信装置に対してベストエフォート方式によるマルチキャストデータの配信を指示するようにしてもよい。
【００４０】
即ち、認証処理装置２１の認証制御部３１は、ログインデータに設定要求帯域が含まれていない場合、配信装置パラメータデータベース３９を参照して、ベストエフォート用の通信ポートを有する配信装置を検索する。
配信装置１８〜２０の通信ポートが下記のように設定されている場合、例えば、配信装置１８の通信ポートＣがベストエフォート用であるので、認証制御部３１は、配信装置１８の通信ポートＣを検索して、その配信装置１８のＩＤ番号と通信ポートＣの番号を含む制御信号を負荷分散装置２２に出力し、ベストエフォート方式の採用を指示する制御信号を配信装置１８に出力する。
【００４１】
2004110395.tif 000003
【００４２】
これにより、配信装置１８は、ベストエフォート方式でマルチキャストデータの配信を開始するが、データ通信制御システム１０は、上記実施の形態１のようにして帯域が設定されている通信ポートからのマルチキャストデータについては、確実に配信する必要がある。そのため、ベストエフォート方式によるマルチキャストデータの配信は、余分な帯域が残されているときに実施される。
【００４３】
即ち、データ通信制御システム１０のパケット転送順序制御集線装置２４は、配信装置１８〜２０における複数の通信ポートのうち、優先順位の高い通信ポート（例えば、配信装置１８の通信ポートＡ，Ｂ、配信装置１９の通信ポートＡ，Ｂ，Ｃ、配信装置２０の通信ポートＢ，Ｃ，Ｄ）から出力されるマルチキャストデータを優先的に負荷分散装置２２，２３に転送する。
そして、優先順位の低い通信ポート（例えば、配信装置１８の通信ポートＣ，Ｄ、配信装置１９の通信ポートＤ、配信装置２０の通信ポートＡ）から出力されるマルチキャストデータは、優先順位の高い通信ポートから出力されるマルチキャストデータを転送しても、帯域が残されているとき負荷分散装置２２，２３に転送する。
【００４４】
以上で明らかなように、この実施の形態３によれば、ログインデータに設定要求帯域が含まれていない場合、ベストエフォート用の通信ポートを有する配信装置を検索し、その配信装置に対してベストエフォート方式によるマルチキャストデータの配信を指示するように構成したので、通信帯域を有効に活用することができる効果を奏する。
これにより、確実なマルチキャストデータの配信よりも、アクセス料の割安な契約を望むユーザも取り込むことができる。
【００４５】
【発明の効果】
以上のように、この発明によれば、判定手段が情報端末装置のアクセスを許可する場合、マルチキャストデータを配信することが可能な複数の配信装置の中から、ログインデータに含まれている設定要求帯域でマルチキャストデータを配信することが可能な配信装置を検索する検索手段を設け、その検索手段により検索された配信装置と情報端末装置間の通信確立を負荷分散装置に対して要求するように構成したので、データロスの発生を招くことなく、マルチキャストデータを確実に配信することができる効果がある。
【００４６】
この発明によれば、ログインデータにユーザ名とマルチキャストデータの配信者に関する情報が含まれている場合、情報端末装置のユーザが当該配信者からマルチキャストデータの受信を許可されているか否かを調査し、当該配信者からマルチキャストデータの受信を許可されていないときは、情報端末装置のアクセスを拒否するように構成したので、例えば、契約関係のあるユーザにのみマルチキャストデータを配信することができる効果がある。
【００４７】
この発明によれば、検索手段により検索された配信装置と情報端末装置間の通信記録を管理する通信記録管理手段を設けるように構成したので、通信記録から各配信者のマルチキャストデータの需要度を把握することができる効果がある。
【００４８】
この発明によれば、通信記録管理手段に管理されている通信記録を参照して、情報端末装置のアクセス料を課金する課金手段を設けるように構成したので、適正な料金徴収を実施することができる効果がある。
【００４９】
この発明によれば、配信装置と情報端末装置間に設定された帯域の大きさと通信時間に応じてアクセス料を課金するように構成したので、アクセス料の適正化を図ることができる効果がある。
【００５０】
この発明によれば、ログインデータに設定要求帯域が含まれていない場合、ベストエフォート用の通信ポートを有する配信装置を検索し、その配信装置に対してベストエフォート方式によるマルチキャストデータの配信を指示するように構成したので、通信帯域を有効に活用することができる効果がある。
【図面の簡単な説明】
【図１】この発明の実施の形態１による認証処理装置が適用されるデータ通信制御システムを示す構成図である。
【図２】この発明の実施の形態１による認証処理装置の内部構成を示す構成図である。
【図３】配信装置の内部構成を示す構成図である。
【図４】負荷分散装置の内部構成を示す構成図である。
【図５】この発明の実施の形態２による認証処理装置の内部構成を示す構成図である。
【図６】従来のデータ通信制御システムを示す構成図である。
【符号の説明】
１０　データ通信制御システム
１１〜１３　データ送信装置
１４　マルチキャストネットワーク
１５　情報端末装置
１６　アクセスネットワーク
１７　ＤＮＳ
１８〜２０　配信装置
２１　認証処理装置
２２，２３　負荷分散装置
２４　パケット転送順序制御集線装置
３１　認証制御部（制御手段）
３２　ユーザ認証部（判定手段）
３３　配信者アクセス確認部（判定手段）
３４　配信帯域管理部（検索手段）
３５　ユーザ名パスワードデータベース
３６　ユーザ名配信者データベース
３７　上限帯域データベース
３８　割当帯域データベース
３９　配信装置パラメータデータベース
４１　データ受信部
４２　パラメータ受信部
４３　パケット転送制御部
４４　データ入出力部
５１　データ入出力部
５２　情報送受信部
５３　接続制御部
５４　データ入出力部
６１　課金制御部（通信記録管理手段、課金手段）
６２　時刻管理部（通信記録管理手段）
６３　アクセス記録部（通信記録管理手段）
６４　課金記録データベース（通信記録管理手段）
【図１】
2004110395.tif 000004
【図２】
2004110395.tif 000005
【図３】
2004110395.tif 000006
【図４】
2004110395.tif 000007
【図５】
2004110395.tif 000008
【図６】
2004110395.tif 000009